(57)【要約】      （修正有）【課題】マスク本体の左右各端部と着用者の各頬間に隙間ができない衛生マスクを提供する。【解決手段】不織布製のマスク本体１と左右一対の装着用紐３を有し、マスク本体１に、左右方向に延び且つ上下方向に広げることが可能とされた複数の襞８が上下方向に並設されている。マスク本体１の左右各端部に、それぞれ、左右方向に間隔を置いて配設され、各襞８を熱接着して、各襞８の上下方向への広がりを阻止する一対の熱接着部が設けられ、各熱接着部１１が、外側方に向かって凸状の円弧状とされている。【選択図】図１
0003165189.tif 000002
【実用新案登録請求の範囲】
【請求項１】
不織布製のマスク本体に、
左右方向に延びて、上下方向に広げることが可能とされた複数の襞
が上下方向に並設された衛生マスクにおいて、
マスク本体の左右各端部に、それぞれ、
左右方向に間隔を置いて配設され、各襞を熱接着して、各襞の上下方向への広がり    を阻止する一対の熱接着部
が設けられ、
各熱接着部が、外側方に向かって凸状の円弧状とされた衛生マスク。
【請求項２】
左右一対の耳掛けを有し、
各耳掛けの各端部が、マスク本体の左右各端部の上下端部に熱接着された請求項１記載の衛生マスク。
【考案の詳細な説明】
【技術分野】
【０００１】
本考案は、鼻と口を覆って、塵、埃、花粉、微生物等の捕捉、喉の保護、治療や消毒等の衛生作業、料理や給食等に使用される衛生マスクに関する。
【背景技術】
【０００２】
近年、衛生マスクとして、左右方向に延びる襞（プリーツ、ギャザー）が上下方向に並設された不織布製のマスク本体と、左右一対の耳掛けを有し、各耳掛けの各端部が、マスク本体の左右各端部の上下端部に熱接着されたものが提案されている。このものは、着用時に、マスク本体の襞を広げることで、マスク本体が上下方向に広がって、立体的となるので、マスク本体による、鼻や口の圧迫が抑制され、これにより、息苦しさが軽減されると共に、女性の場合には、口唇に塗られた口紅がマスク本体に付着し難い利点がある。
【０００３】
ところで、上記のマスク本体の左右各端部では、熱接着部により、各襞が熱接着されているため、衛生マスクの着用時に、マスク本体を上下方向に広げた際に、マスク本体の左右方向中央部側は上下方向に広がるが、左右各端部は広がらない。このように、マスク本体の左右方向中央部側のみが上下方向に広がるため、マスク本体の左右各端部はマスク本体の左右方向中央部側に引っ張られると共に、上下方向に関して、弛もうとする。
【０００４】
ところが、上記従来のマスク本体では、各襞を熱接着している熱接着部が、上下方向の帯状とされて、熱接着部の上下方向何れの位置でも、左右の熱接着部間の距離は同一とされていた。
【０００５】
そのため、上記のように、マスク本体の左右各端部がマスク本体の左右方向中央部側に引っ張られた際に、左右各端部は、全体的に、同じ様に引っ張られることとなる。その結果、マスク本体の左右各端部の弛みがそのまま残り、マスク本体の左右各端部の上下方向中央部側が着用者の各頬から上方に浮いた状態となる。これにより、マスク本体の左右各端部と着用者の各頬間に隙間ができ、この隙間から、塵、埃、花粉、微生物等が鼻や口に侵入したりして、衛生マスクの機能が損なわれる惧れがあったのが実情である。
【０００６】
ところで、近年においては、マスク本体の中間不織布を高性能なものにしたり、或いは、各プライ（層）に工夫を凝らして、衛生マスクのフィルター性能を向上させたものが多数提案（市販）されている。しかし、上記のように、衛生マスクの装着時に、マスク本体の左右各端部と着用者の各頬間に隙間ができれば、この隙間から、塵、埃、花粉、微生物等が鼻や口に侵入するので、衛生マスクの上記フィルター性能の向上は充分にその機能を発揮できないことになる。
【考案の概要】
【考案が解決しようとする課題】
【０００７】
解決しようとする問題点は、衛生マスクを着用した際に、マスク本体の左右各端部と着用者の各頬間に隙間ができ、この隙間から、塵、埃、花粉、微生物等が鼻や口に侵入したりして、衛生マスクの機能が損なわれる惧れがあった点である。
【０００８】
本考案は上記問題を解決でき、衛生マスクを着用した際に、マスク本体の左右各端部と着用者の各頬間に隙間ができず、衛生マスクの機能が損なわれる惧れのない衛生マスクを提供することを目的とする。
【課題を解決するための手段】
【０００９】
本考案は上記問題点を解決したもので、その特徴とするところは、不織布製のマスク本体と、マスク本体に、左右方向に延びて、上下方向に広げることが可能とされた複数の襞が上下方向に並設された衛生マスクにおいて、マスク本体の左右各端部に、それぞれ、左右方向に間隔を置いて配設され、各襞を熱接着して、各襞の上下方向への広がりを阻止する一対の熱接着部が設けられ、各熱接着部が、外側方に向かって凸状の円弧状とされた点にある。
尚、左右一対の耳掛けを有し、各耳掛けの各端部が、マスク本体の左右各端部の上下端部に熱接着されることもある。
【考案の効果】
【００１０】
本考案によれば、マスク本体の左右各端部に、それぞれ、各襞を熱接着して、各襞の上下方向への広がりを阻止する熱接着部が設けられ、各熱接着部が、外側方に向かって凸状の円弧状とされているので、衛生マスクを着用した際に、マスク本体の左右各端部と着用者の各頬間に隙間ができず、この隙間から塵、埃、花粉、微生物等が鼻や口に侵入したりすることが防止される。従って、衛生マスクの機能が損なわれる惧れはなく、衛生マスクの近年のフィルター性能の向上が充分にその機能を発揮できないという惧れはない。
又、衛生マスクの着用時には、マスク本体には、上下方向や左右方向の外力が作用し、マスク本体の左右各端部の熱接着部にも、上下方向や左右方向の外力が作用するが、マスク本体の左右各端部には、単一の熱接着部ではなく、左右方向に間隔を置いた一対の熱接着部が配設されて、各襞が強固に熱接着されているので、各襞の熱接着部分が剥離したりする惧れが少ない。
【図面の簡単な説明】
【００１１】
【図１】本考案の実施の形態の第１例を示す正面図である。
【図２】図１のＡ−Ａ線矢視簡略説明図である。
【図３】図１の一部の縦側断面図である。
【図４】図１の着用時の状態を示す斜視図である。
【図５】図４の一部側面図である。
【図６】本考案の実施の形態の第２例を示す正面図である。
【考案を実施するための形態】
【００１２】
以下、本考案の実施の形態の第１例を図１〜図５の図面に基づき説明すると、衛生マスクは、マスク本体１と、ノーズワイヤ２と、左右一対の装着用紐（耳掛け）３を有する。
【００１３】
マスク本体１は、鼻、口、顎を覆うもので、合成樹脂製とされた外側・中間・外側不織布５〜７を有する３プライ（層）構造とされて、これらが、外側から口元側に向かって、上記の順で並設されると共に、マスク本体１の上下方向中央部側には、左右方向に延び且つ上下方向に広げることが可能な襞（プリーツ、ギャザー）８が上下方向に複数並設されている。そして、マスク本体１の上下両端部が、超音波により、熱接着（ヒートシール）されて、左右方向に直線状の熱接着部９，１０により、一体化されている。又、マスク本体１の左右各端部も、それぞれ、超音波により、熱接着（ヒートシール）されて、一対の熱接着部１１により、一体化されている。これら一対の熱接着部１１は、左右方向に間隔を置いて配設され、各襞８の左右各端部を熱接着して、各襞８の上下方向への広がりを阻止しており、正面視において、外側方に向かって凸状の円弧状とされると共に、細い点線又は連続する線状とされている。上記のように、マスク本体１を超音波による熱接着により一体化しているので、マスク本体１を容易に製造できる。
【００１４】
外側・口元側不織布５，７は中間不織布６よりも厚くされており、塵、埃、花粉、微生物等の捕捉を行なうフィルター機能と、マスク本体１に厚み（ボリューム感）や強度を持たせる機能を有する。外側・口元側不織布５，７では、フィルター機能よりも、マスク本体１に厚みや強度を持たせる機能が優先されており、この観点から、外側・口元側不織布５，７としては、厚み（ボリューム感）が充分にあり且つ通気性が良好なエアースルー不織布や、強度が充分にあるスパンボンド不織布が好ましいが、外側・口元側不織布５，７として、肌触りの良いスパンレース不織布を使用しても良い。尚、上記では、口元側不織布７を厚みのあるフィルターとして、口元側不織布７に、フィルター機能や、マスク本体１に厚み（ボリューム感）や強度を持たせる機能を持たせたが、そのようにしなくてもよい。
【００１５】
中間不織布６は、塵、埃、花粉、微生物等の捕捉を行なうフィルター機能を、主要な機能として有するもので、この観点から、中間不織布６としては、繊維が（超）極細で、糸密度が密である（換言すれば、「布目が細かい」、更に、換言すれば、「通過可能な粒子の大きさが小さい）メルトブロー不織布が好ましい。尚、メルトブロー不織布としては、繊維の直径が０．５〜４μｍで、厚みが０．０８〜０．３ｍｍのものが好ましい。又、中間不織布６の糸密度は、外側・口元側不織布５，７よりも密とされている（換言すれば、「布目が細かくされている」、更に、換言すれば、「通過可能な粒子の大きさが小さくされている」）。
【００１６】
ノーズワイヤ２は、マスク本体１の上部を着用者の鼻の形にフィットさせるもので、これにより、衛生マスクの着用時に、マスク本体１がずれ難くなると共に、鼻の側方側の隙間も略閉塞される。ノーズワイヤ２は、例えば、外側・中間不織布５，６の上端部間、又は、中間・口元側不織布６，７の上端部間に介装されて、マスク本体１内の上端部に左右方向に配設されている。ノーズワイヤ２は、マスク本体１の上端部の熱接着部９間に配設されるもので、マスク本体１における、ノーズワイヤ２周辺部が熱接着されることで、マスク本体１に固定される。ノーズワイヤ２としては、例えば、軟質の針金、プラスチック樹脂等が使用される。
【００１７】
装着用紐３は、本例では、耳に掛けられる耳掛けとして例示されて、マスク本体１の左右両端部に備えられるもので、各装着用紐３の各端部は、マスク本体１の熱接着時に、外側不織布５，又は、口元側不織布７の左右各端部の裏面、又は、表面の上下各端部に熱接着されている。このように、装着用紐３をマスク本体１に超音波により熱接着しているので、装着用紐３をマスク本体１に容易に取り付けることができる。装着用紐３としては、例えば、スパンデックス（ポリウレタン）製の伸縮性を有し且つ断面略長方形状の平たい紐が使用されている。このように、平たい紐を使用すれば、上記熱接着時に、装着用紐３と口元側不織布７の接触面積を大とでき、両者を良好に熱接着できる。尚、装着用紐３として、スパンデックス製のものを使用すると、ゴム製のものを使用した場合に比較して、上記熱接着時に、傷付き難く、強度が弱くならないと共に、繰り返し伸縮させても、弾力性が失われにくい。又、装着用紐３として、スパンデックス製の平たい紐を使用すれば、衛生マスクの着用時に、装着用紐３がソフトに着用者の肌に当たり、付け心地が良好である。
【００１８】
上記構成例によれば、衛生マスクの着用時には、マスク本体１の襞８を上下方向に広げて、マスク本体１を前方に突出する立体的なものとする。この際、マスク本体１の左右方向中央部側では、襞８が固定されていないので、上下方向に広がるが、左右各端部では、一対の熱接着部１１により、各襞８が熱接着されているので、上下方向には広がらない。このように、マスク本体１の左右方向中央部側のみが上下方向に広がるため、マスク本体１の左右各端部はマスク本体１の左右方向中央部側に引っ張られ、これにより、マスク本体１の左右各端部は、上下方向に関して、弛もうとする。
【００１９】
しかし、マスク本体１の左右各端部の熱接着部１１が、外側方に凸状の湾曲状とされ、これにより、左右の両接着部１１間の距離は、熱接着部１１の上下方向中央部に向かうに従って、長くなる。そのため、上記のように、マスク本体１の左右各端部がマスク本体１の左右方向中央部側に引っ張られた際に、湾曲状の熱接着部１１は、その上下方向中央部側ほど、マスク本体１の左右方向中央部側に大きく移動する。これにより、図４及び図５に示すように、マスク本体１の左右各端部が内側に凹むように変形して、例えば、略Ｖ字状となる。この変形により、マスク本体１の左右各端部の上下方向の弛みが吸収されて、マスク本体１の左右各端部の上下方向中央部側が着用者の各頬から上方に浮いた状態とならず、マスク本体１の左右各端部が着用者の各頬に良好にフイットする。それ故、マスク本体１の左右各端部と着用者の各頬間に隙間ができず、この隙間から塵、埃、花粉、微生物等が鼻や口に侵入したりすることが防止される。従って、衛生マスクの機能が損なわれる惧れはなく、衛生マスクの近年のフィルター性能の向上が充分にその機能を発揮できないという惧れはない。
【００２０】
尚、衛生マスクの着用時には、マスク本体１には、上下方向や左右方向の外力が作用し、マスク本体１の左右各端部の熱接着部１１にも、上下方向や左右方向の外力が作用するが、マスク本体１の左右各端部には、単一の熱接着部ではなく、左右方向に間隔を置いた一対の熱接着部１１が配設されて、各襞８が強固に熱接着されているので、各襞８の熱接着部分が剥離したりする惧れが少ない。
【００２１】
又、衛生マスクの着用時に、上記のように、マスク本体１の襞８を上下方向に広げることで、マスク本体１による、鼻や口の圧迫が抑制され、これにより、息苦しさが軽減されると共に、女性の場合には、口唇に塗られた口紅がマスク本体１に付着し難い。
【００２２】
更に、上記構成例によれば、下記の効果もある。
Ａ．衛生マスクが、外側・中間・口元側不織布５〜７から成ると共に、中間不織布６の糸  密度が外側不織布５よりも密であるので、塵、埃、花粉、風邪のウィルス等の微生物等  を充分に良好に捕捉できると共に、大きな塵や埃は外側不織布５で捕捉され、それより  も小さな塵、埃、花粉、微生物は中間不織布６で捕捉されるというように、マスク本体  １により、塵、埃、花粉、微生物等を効率的に捕捉できる。
Ｂ．中間不織布６として、繊維の直径が０．５〜４μｍで且つ厚みが０．０８〜０．３ｍ  ｍのメルトブロー不織布、即ち、繊維が極細で、糸密度が密なメルトブロー不織布を使  用すれば、塵、埃、花粉、微生物等を更に良好に捕捉できる。尚、中間不織布６として  上記のようなメルトブロー不織布を使用して、微粒子の捕捉試験を行なったところ、０  ．１μｍの微粒子を９９％以上捕捉できたとの試験結果を得た。
Ｃ．衛生マスクが、３プライ構造で、プライ数が少ないと共に、各プライが不織布５〜７  であるので、通気性が良く、衛生マスクの着用時に、息苦しさがない。
Ｄ．外側・口元側不織布５，７を中間不織布６よりも厚くし、外側・口元側不織布５，７  として、厚みのあるものを使用しているので、衛生マスクのボリューム感、強度を向上  できる。
Ｅ．外側・口元側不織布５，７として、厚みが充分にあるエアースルー不織布を使用すれ  ば、衛生マスクのボリューム感を向上でき、又、外側・口元側不織布５，７として、強  度が充分にあるスパンボンド不織布を使用すれば、衛生マスクの強度を向上でき、更に  外側・口元側不織布５，７として、肌触りの良いスパンレース不織布を使用すれば、衛  生マスクの肌触りを向上できる。
【００２３】
図６は本考案の実施の形態の第２例を示すもので、装着用紐３が上下一対とされて、各装着用紐３の各端部は、マスク本体１の熱接着時に、外側不織布５，又は、口元側不織布７の上下各端部の裏面、又は、表面の左右各端部に熱接着されて、マスク本体１の上下各端部に備えられている。衛生マスクの着用時には、上側装着用紐３が着用者の頭部に掛けられ、下側装着用紐３が着用者の顎部に掛けられる。
【００２４】
尚、上記構成例では、中間不織布を一枚としたが、複数枚としてもよく、又、中間プライに、上記以外の不織布や、その他のフィルターや布（生地）等を付加してもよい。
【産業上の利用可能性】
【００２５】
本考案は衛生マスクに適用できる。
【符号の説明】
【００２６】
１  マスク本体
３  装着用紐（耳掛け）
８  襞
９〜１１  熱接着部
【図１】
0003165189.tif 000003
【図２】
0003165189.tif 000004
【図３】
0003165189.tif 000005
【図４】
0003165189.tif 000006
【図５】
0003165189.tif 000007
【図６】
0003165189.tif 000008